Podtech/llm-jp-corpus-v4-ja_patent huggingface dataset:
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて抽選を行い、該抽選の結果が当りである場合に、通常遊技状態よりも遊技者に有利な特定遊技状態に制御可能な遊技機であって、
前記抽選の結果に基づいて図柄を変動表示して所定の表示結果で停止表示させる図柄表示手段と、
図柄変動表示中に行う演出の内容を制限する演出内容制限手段と、を備え、
図柄変動表示中には、今回の図柄変動表示に関連する現変動関連演出と、次回以降の図柄変動表示に関連する次変動関連演出と、を実行可能であり、
前記現変動関連演出と前記次変動関連演出とは、いずれも所定の演出表示装置に表示される表示演出で構成されるものであり、
前記次変動関連演出は、前記演出表示装置の表示領域のうち一部の表示領域に表示される演出であり、
前記現変動関連演出を構成する表示演出には、前記図柄と視覚的に差別化される第１画像情報を表出する表示演出と、前記図柄と視覚的に差別化される第２画像情報を表出する表示演出と、が少なくとも含まれ、
前記次変動関連演出を構成する表示演出には、前記図柄と視覚的に差別化される第３画像情報を表出する表示演出が少なくとも含まれ、
前記現変動関連演出として前記第１画像情報あるいは前記第２画像情報を特別識別態様で表出する表示演出が実行される場合には、前記第１画像情報あるいは前記第２画像情報を通常の識別態様で表出する表示演出が実行される場合よりも当り期待度が高いことを示唆するものであり、
前記次変動関連演出にて前記第３画像情報を前記特別識別態様で表出する表示演出が実行される場合には、前記第３画像情報を通常の識別態様で表出する表示演出が実行される場合よりも当り期待度が高いことを示唆するものであり、
今回の図柄変動表示の表示結果がはずれである場合には、該はずれに係る図柄変動表示中に行われる前記現変動関連演出にて前記第１画像情報あるいは前記第２画像情報を前記特別識別態様で表出する表示演出が所定回数を超えて実行されないように前記演出内容制限手段によって演出の内容を制限するものの、
該はずれに係る図柄変動表示中に行われる前記次変動関連演出にて前記第３画像情報を前記特別識別態様で表出する表示演出については、前記演出内容制限手段による前記所定回数に関する制限の対象にしないようにしたものであり、
前記第３画像情報は、前記始動条件が成立した回数に応じて、前記演出表示装置の表示領域のうち一部の表示領域に複数個の表示が可能である
ことを特徴とする遊技機。
【手続補正２】
【補正対象書類名】明細書
【補正対象項目名】０００６
【補正方法】変更
【補正の内容】
【０００６】
手段１：
所定の始動条件の成立に基づいて抽選を行い、該抽選の結果が当りである場合に、通常遊技状態よりも遊技者に有利な特定遊技状態に制御可能な遊技機であって、
前記抽選の結果に基づいて図柄を変動表示して所定の表示結果で停止表示させる図柄表示手段と、
図柄変動表示中に行う演出の内容を制限する演出内容制限手段と、を備え、
図柄変動表示中には、今回の図柄変動表示に関連する現変動関連演出と、次回以降の図柄変動表示に関連する次変動関連演出と、を実行可能であり、
前記現変動関連演出と前記次変動関連演出とは、いずれも所定の演出表示装置に表示される表示演出で構成されるものであり、
前記次変動関連演出は、前記演出表示装置の表示領域のうち一部の表示領域に表示される演出であり、
前記現変動関連演出を構成する表示演出には、前記図柄と視覚的に差別化される第１画像情報を表出する表示演出と、前記図柄と視覚的に差別化される第２画像情報を表出する表示演出と、が少なくとも含まれ、
前記次変動関連演出を構成する表示演出には、前記図柄と視覚的に差別化される第３画像情報を表出する表示演出が少なくとも含まれ、
前記現変動関連演出として前記第１画像情報あるいは前記第２画像情報を特別識別態様で表出する表示演出が実行される場合には、前記第１画像情報あるいは前記第２画像情報を通常の識別態様で表出する表示演出が実行される場合よりも当り期待度が高いことを示唆するものであり、
前記次変動関連演出にて前記第３画像情報を前記特別識別態様で表出する表示演出が実行される場合には、前記第３画像情報を通常の識別態様で表出する表示演出が実行される場合よりも当り期待度が高いことを示唆するものであり、
今回の図柄変動表示の表示結果がはずれである場合には、該はずれに係る図柄変動表示中に行われる前記現変動関連演出にて前記第１画像情報あるいは前記第２画像情報を前記特別識別態様で表出する表示演出が所定回数を超えて実行されないように前記演出内容制限手段によって演出の内容を制限するものの、
該はずれに係る図柄変動表示中に行われる前記次変動関連演出にて前記第３画像情報を前記特別識別態様で表出する表示演出については、前記演出内容制限手段による前記所定回数に関する制限の対象にしないようにしたものであり、
前記第３画像情報は、前記始動条件が成立した回数に応じて、前記演出表示装置の表示領域のうち一部の表示領域に複数個の表示が可能である
ことを特徴とする。
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
複数の可動態様で可動可能な可動体と、
前記可動体の可動態様を変更前態様から変更後態様に変更する場合、前記変更前態様及び前記変更後態様に基づいて、前記変更前態様と前記変更後態様との関係が前記可動態様の変更を禁止する所定の禁止関係にあるか否かを判定し、前記所定の禁止関係にあると判断した場合、前記可動体に関する特別処理を実行する特別処理実行手段と
を備える遊技機。
【請求項２】
請求項１に記載の遊技機において、
前記特別処理実行手段は、
前記特別処理として、前記所定の禁止関係にある前記可動態様の変更が発生したことを示す内容の情報を遊技機の外部に出力する出力処理、又は、前記可動体の可動を停止させる保護処理を実行することを特徴とする遊技機。
【請求項３】
請求項１又は２に記載の遊技機において、
前記可動体の前記可動態様を前記変更前態様から前記変更後態様に変更する場合に参照されるテーブルであって、複数ある前記変更前態様と複数ある前記変更後態様との中でいずれの組み合わせが前記所定の禁止関係に該当する組み合わせであるかを規定している態様変更時参照テーブルを備え、
前記特別処理実行手段は、
前記態様変更時参照テーブルを参照して、前記所定の禁止関係にあるか否かを判定することを特徴とする遊技機。
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
判定条件の成立に基づいて遊技状態を遊技者に有利な特別遊技状態に移行させるか否かの判定を行う主制御手段と、
画像による演出が実行される画像表示手段、及び楽曲を出力する演出が実行される音声出力手段を含む演出手段と、
複数の楽曲から前記音声出力手段によって出力させる楽曲を遊技者に選択させるための所定の楽曲選択画像を前記画像表示手段に表示させ、遊技者によって所定の楽曲が選択された場合に当該所定の楽曲を前記音声出力手段に出力させる演出実行手段と、
前記音声出力手段によって出力させる楽曲を選択する場合に遊技者によって操作される操作手段と、
を備え、
前記演出実行手段は、
所定の遊技状態において、前記所定の楽曲選択画像として、前記音声出力手段によって出力させる楽曲を選択するための前記操作手段に対する決定操作によって選択可能な仮選択楽曲であることを示す仮選択楽曲画像を表示する仮選択楽曲画像表示手段と、
前記操作手段に対する決定操作によって前記所定の楽曲が選択された場合に、前記所定の楽曲が選択されたことを識別可能に記憶する記憶手段と、
遊技者による前記操作手段に対する所定の操作に応じて、前記所定の楽曲選択画像中における前記仮選択楽曲画像を変更する変更手段と、
前記所定の遊技状態において、初期設定として遊技者によって未だ選択されていない第１の未選択楽曲を前記仮選択楽曲として設定する手段と、
前記所定の遊技状態において、前記操作手段に対して第１の操作が行われる場合に、遊技者によって既に選択されたことのある既選択楽曲を前記仮選択楽曲として設定する手段と、
前記所定の遊技状態において、前記操作手段に対して前記第１の操作とは異なる第２の操作が行われる場合に、遊技者によって未だ選択されていない第２の未選択楽曲を前記仮選択楽曲として設定する手段と、
前記特別遊技状態への移行時に前記特別遊技状態への移行を明示する明示画像を前記画像表示手段に表示させる手段と、
前記特別遊技状態における前記明示画像の表示後に設定される所定の期間において前記所定の楽曲選択画像を前記画像表示手段に表示させる手段と、
を備えることを特徴とする遊技機。
【請求項２】
前記特別遊技状態における前記明示画像の表示後に設定される所定の期間において、前記所定の楽曲選択画像と、前記特別遊技状態に対応した遊技状態画像とを前記画像表示手段に表示させる手段を備えることを特徴とする請求項１に記載の遊技機。
【請求項３】
前記特別遊技状態は、遊技者に遊技価値を付与する複数の単位遊技が実行される遊技状態であり、
前記所定の期間は、前記複数の単位遊技の少なくとも一部の単位遊技が実行される期間を含むことを特徴とする請求項１又は請求項２に記載の遊技機。
【請求項４】
前記所定の期間は、前記複数の単位遊技における最初に実行される前記単位遊技が実行される期間を含むことを特徴とする請求項３に記載の遊技機。
【請求項５】
前記特別遊技状態は、オープニング遊技、及びオープニング遊技の実行後に開始され、遊技者に遊技価値を付与する複数の単位遊技が実行される遊技状態であり、
前記演出実行手段は、前記遊技状態が前記特別遊技状態に移行される場合に、前記オープニング遊技が実行される期間において、前記明示画像を前記画像表示手段に表示させることを特徴とする請求項１から請求項４のいずれかに記載の遊技機。
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて抽選を行い、該抽選の結果が当りである場合に、通常遊技状態よりも遊技者に有利な特定遊技状態に制御可能な遊技機であって、
前記抽選の結果に基づいて図柄の変動表示を行う図柄表示手段と、
図柄変動表示中に所定の演出表示装置で行う演出の内容を制限する演出内容制限手段と、を備え、
図柄変動表示中に行う演出として、特定画像を現出させ得る演出を含む複数の演出の中から選択するものであり、
前記演出内容制限手段は、前記図柄変動表示中に行う演出として前記特定画像を現出させ得る演出が複数選択された場合に、前記抽選の結果がはずれであれば当該１回の図柄変動表示中に前記特定画像が所定回数を超えて現出されないように制限するものであって、
前記特定画像が現出される演出として、所定の操作部の操作とは無関係に前記特定画像が現出される非操作時現出演出と、前記操作部の操作に応じて前記特定画像が現出される操作時現出演出と、を少なくとも有しており、
前記操作時現出演出に基づく前記特定画像の現出は、前記操作部が操作されないことで前記特定画像が現出されない可能性があるものの、前記演出内容制限手段による制限の対象とされ、
前記特定画像を現出させ得る演出としてさらに、前記始動条件が成立した場合に前記演出表示装置の表示領域のうち一部の表示領域に前記図柄と視覚的に差別化される保留画像情報を表出させる保留演出を実行可能であり、
該保留演出については、前記演出内容制限手段による前記所定回数に関する制限の対象にしない
ことを特徴とする遊技機。
【手続補正２】
【補正対象書類名】明細書
【補正対象項目名】０００６
【補正方法】変更
【補正の内容】
【０００６】
手段１：
所定の始動条件の成立に基づいて抽選を行い、該抽選の結果が当りである場合に、通常遊技状態よりも遊技者に有利な特定遊技状態に制御可能な遊技機であって、
前記抽選の結果に基づいて図柄の変動表示を行う図柄表示手段と、
図柄変動表示中に所定の演出表示装置で行う演出の内容を制限する演出内容制限手段と、を備え、
図柄変動表示中に行う演出として、特定画像を現出させ得る演出を含む複数の演出の中から選択するものであり、
前記演出内容制限手段は、前記図柄変動表示中に行う演出として前記特定画像を現出させ得る演出が複数選択された場合に、前記抽選の結果がはずれであれば当該１回の図柄変動表示中に前記特定画像が所定回数を超えて現出されないように制限するものであって、
前記特定画像が現出される演出として、所定の操作部の操作とは無関係に前記特定画像が現出される非操作時現出演出と、前記操作部の操作に応じて前記特定画像が現出される操作時現出演出と、を少なくとも有しており、
前記操作時現出演出に基づく前記特定画像の現出は、前記操作部が操作されないことで前記特定画像が現出されない可能性があるものの、前記演出内容制限手段による制限の対象とされ、
前記特定画像を現出させ得る演出としてさらに、前記始動条件が成立した場合に前記演出表示装置の表示領域のうち一部の表示領域に前記図柄と視覚的に差別化される保留画像情報を表出させる保留演出を実行可能であり、
該保留演出については、前記演出内容制限手段による前記所定回数に関する制限の対象にしない
ことを特徴とする。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて抽選を行い、該抽選の結果が当りである場合に、通常遊技状態よりも遊技者に有利な特定遊技状態に制御可能な遊技機であって、
前記抽選の結果に基づいて図柄の変動表示を行う図柄表示手段と、
図柄の変動表示中に行う演出を制御する演出制御手段と、を備え、
前記演出制御手段は、
１回の図柄の変動表示中に行う演出として、特定識別態様を有する演出表示を実行可能であり、
１回の図柄の変動表示中に前記特定識別態様が規定回数以上出現した場合には、前記特定識別態様が規定回数以上出現しない場合よりも、当りとなる割合が高いものであって、
さらに、当該遊技機は、
遊技者が操作可能な操作手段を備え、
前記特定識別態様を有する演出表示が実行されているときに、前記操作手段の操作によって所定の出現条件が成立すると、前記特定識別態様に重なるように所定の操作時画像が出現し、前記特定識別態様に重なるように出現した前記操作時画像によって前記特定識別態様を有する演出表示の少なくとも一部が視認困難になるものであって、
前記操作時画像が出現した後、前記操作手段の操作なしで所定の消去条件が成立すると、前記操作時画像が消去されるものであり、
さらに、前記操作手段は、複数の操作部を有し、該複数の操作部のうち第１の操作部に対する操作がされたときに前記操作時画像を出現させず、該複数の操作部のうち第２の操作部に対する操作がされたときに前記操作時画像を出現させる
ことを特徴とする遊技機。
【手続補正２】
【補正対象書類名】明細書
【補正対象項目名】０００２
【補正方法】変更
【補正の内容】
【０００２】
この種の遊技機では、図柄を可変表示させ、図柄の停止結果が所定の態様となった場合に所定の遊技価値を付与する遊技機が知られている。このような遊技機では、遊技の興趣を高めるため、図柄の可変表示に伴って、画像表示部による画像の表示、役物の可動、スピーカによる音響、各種のランプの点灯等の演出が実行される（例えば、特許文献１参照）。
【手続補正３】
【補正対象書類名】明細書
【補正対象項目名】０００４
【補正方法】変更
【補正の内容】
【０００４】
上記のように従来の遊技機では、多種多様な演出が実行可能となっているが、遊技者のニーズに即していない場合もあり、そうした場合に遊技興趣が低下してしまうおそれがあった。
【手続補正４】
【補正対象書類名】明細書
【補正対象項目名】０００６
【補正方法】変更
【補正の内容】
【０００６】
手段１：
所定の始動条件の成立に基づいて抽選を行い、該抽選の結果が当りである場合に、通常遊技状態よりも遊技者に有利な特定遊技状態に制御可能な遊技機であって、
前記抽選の結果に基づいて図柄の変動表示を行う図柄表示手段と、
図柄の変動表示中に行う演出を制御する演出制御手段と、を備え、
前記演出制御手段は、
１回の図柄の変動表示中に行う演出として、特定識別態様を有する演出表示を実行可能であり、
１回の図柄の変動表示中に前記特定識別態様が規定回数以上出現した場合には、前記特定識別態様が規定回数以上出現しない場合よりも、当りとなる割合が高いものであって、
さらに、当該遊技機は、
遊技者が操作可能な操作手段を備え、
前記特定識別態様を有する演出表示が実行されているときに、前記操作手段の操作によって所定の出現条件が成立すると、前記特定識別態様に重なるように所定の操作時画像が出現し、前記特定識別態様に重なるように出現した前記操作時画像によって前記特定識別態様を有する演出表示の少なくとも一部が視認困難になるものであって、
前記操作時画像が出現した後、前記操作手段の操作なしで所定の消去条件が成立すると、前記操作時画像が消去されるものであり、
さらに、前記操作手段は、複数の操作部を有し、該複数の操作部のうち第１の操作部に対する操作がされたときに前記操作時画像を出現させず、該複数の操作部のうち第２の操作部に対する操作がされたときに前記操作時画像を出現させる
ことを特徴とする。
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
判定条件の成立に基づいて遊技状態を遊技者に有利な特別遊技状態に移行させるか否かの判定を行う主制御手段と、
画像による演出が実行される画像表示手段、及び楽曲を出力する演出が実行される音声出力手段を含む演出手段と、
複数の楽曲から前記音声出力手段によって出力させる楽曲を遊技者に選択させるための所定の楽曲選択画像を前記画像表示手段に表示させ、遊技者によって所定の楽曲が選択された場合に当該所定の楽曲を前記音声出力手段に出力させる演出実行手段と、
前記音声出力手段によって出力させる楽曲を選択する場合に遊技者によって操作される操作手段と、
を備え、
前記演出実行手段は、
所定の遊技状態において、前記所定の楽曲選択画像として、前記音声出力手段によって出力させる楽曲を選択するための前記操作手段に対する決定操作によって選択可能な仮選択楽曲であることを示す仮選択楽曲画像を表示する仮選択楽曲画像表示手段と、
前記操作手段に対する決定操作によって前記所定の楽曲が選択された場合に、前記所定の楽曲が選択されたことを識別可能に記憶する記憶手段と、
遊技者による前記操作手段に対する所定の操作に応じて、前記所定の楽曲選択画像中における前記仮選択楽曲画像を変更する変更手段と、
前記所定の遊技状態において、初期設定として遊技者によって未だ選択されていない第１の未選択楽曲を前記仮選択楽曲として設定する手段と、
前記所定の遊技状態において、前記操作手段に対して第１の操作が行われる場合に、遊技者によって既に選択されたことのある既選択楽曲を前記仮選択楽曲として設定する手段と、
前記所定の遊技状態において、前記操作手段に対して前記第１の操作とは異なる第２の操作が行われる場合に、遊技者によって未だ選択されていない第２の未選択楽曲を前記仮選択楽曲として設定する手段と、
を備え、
前記演出実行手段は、
前記特別遊技状態に移行された場合の前記初期設定の前記第１の未選択楽曲として前記複数の楽曲のうちの第１楽曲を設定し、
前記初期設定の前記第１の未選択楽曲として前記第１楽曲を設定が設定された前記特別遊技の次に移行される前記特別遊技状態において、前記初期設定の前記第１の未選択楽曲として前記複数の楽曲のうちの前記第１楽曲とは異なる第２楽曲を設定することを特徴とする遊技機。
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて抽選を行い、該抽選の結果が当りである場合に、通常遊技状態よりも遊技者に有利な特定遊技状態に制御可能な遊技機であって、
演出を表示可能な演出表示手段と、
前記抽選の結果に基づいて前記演出表示手段を表示制御して図柄情報を変動表示させる変動演出を実行する表示制御手段と、
操作手段の操作に基づいて前記演出表示手段に特定の画像情報を所定期間に亘って表示させ得る情報表示手段と、を備え、
前記情報表示手段による前記特定の画像情報の表示は、前記図柄情報が変動表示される期間において遊技者が前記操作手段の操作によって任意に可能とされ、
前記表示制御手段は、前記図柄情報を仮停止させた後、該仮停止している図柄情報を再び変動表示させる擬似連続演出を実行可能であり、
前記情報表示手段は、
前記操作手段の操作タイミングが前記図柄情報の停止タイミングである場合には前記特定の画像情報を表示させない一方で、前記操作手段の操作タイミングが前記図柄情報の仮停止タイミングである場合には前記特定の画像情報を表示させ、
前記特定の画像情報を表示した状態で前記停止タイミングとなった場合には前記特定の画像情報の表示開始から前記所定期間が経過していなくても該特定の画像情報を非表示とする一方で、前記特定の画像情報を表示した状態で前記仮停止タイミングとなったとしても前記特定の画像情報を非表示とせずに前記特定の画像情報の表示開始から前記所定期間が経過したときに非表示とするものであり、
前記特定の画像情報は、前記停止タイミングを含む所定の禁止期間に亘って表示が禁止され、
前記特定の画像情報を表示した状態で前記停止タイミングとなったことに基づいて前記特定の画像情報を非表示とした場合に、前記禁止期間の経過後に前記所定期間が経過していなくても前記特定の画像情報を再表示せず、
前記特定の画像情報を表示した状態で再び前記操作手段が操作された場合に当該特定の画像情報の表示態様に変化を与え得る、
ことを特徴とする遊技機。
【手続補正２】
【補正対象書類名】明細書
【補正対象項目名】０００２
【補正方法】変更
【補正の内容】
【０００２】
従来、始動入賞に基づいて画像を表示可能な表示器に複数の図柄を変動表示させ、図柄の停止結果が所定の態様となった場合に所定の遊技価値を付与する遊技機が知られている。このような遊技機では、大当りの期待度が高い場合等に１回の始動入賞に応じて図柄を複数回変動表示させる擬似連を行うものがあった（例えば、特許文献１参照）。
【手続補正３】
【補正対象書類名】明細書
【補正対象項目名】０００３
【補正方法】変更
【補正の内容】
【０００３】
【特許文献１】特開２０１７−０３５５４７号公報
【手続補正４】
【補正対象書類名】明細書
【補正対象項目名】０００４
【補正方法】変更
【補正の内容】
【０００４】
しかしながら、擬似連が行われているか否かの判別が困難な場合にはせっかく大当りの期待度が高い擬似連が実行されても、擬似連が実行されていることを遊技者に気付かせることができないという問題があり、これにより、遊技興趣を低下させるおそれがあった。
【手続補正５】
【補正対象書類名】明細書
【補正対象項目名】０００６
【補正方法】変更
【補正の内容】
【０００６】
上記した目的を達成するために、請求項１に係る発明においては、所定の始動条件の成立に基づいて抽選を行い、該抽選の結果が当りである場合に、通常遊技状態よりも遊技者に有利な特定遊技状態に制御可能な遊技機であって、
演出を表示可能な演出表示手段と、
前記抽選の結果に基づいて前記演出表示手段を表示制御して図柄情報を変動表示させる変動演出を実行する表示制御手段と、
操作手段の操作に基づいて前記演出表示手段に特定の画像情報を所定期間に亘って表示させ得る情報表示手段と、を備え、
前記情報表示手段による前記特定の画像情報の表示は、前記図柄情報が変動表示される期間において遊技者が前記操作手段の操作によって任意に可能とされ、
前記表示制御手段は、前記図柄情報を仮停止させた後、該仮停止している図柄情報を再び変動表示させる擬似連続演出を実行可能であり、
前記情報表示手段は、
前記操作手段の操作タイミングが前記図柄情報の停止タイミングである場合には前記特定の画像情報を表示させない一方で、前記操作手段の操作タイミングが前記図柄情報の仮停止タイミングである場合には前記特定の画像情報を表示させ、
前記特定の画像情報を表示した状態で前記停止タイミングとなった場合には前記特定の画像情報の表示開始から前記所定期間が経過していなくても該特定の画像情報を非表示とする一方で、前記特定の画像情報を表示した状態で前記仮停止タイミングとなったとしても前記特定の画像情報を非表示とせずに前記特定の画像情報の表示開始から前記所定期間が経過したときに非表示とするものであり、
前記特定の画像情報は、前記停止タイミングを含む所定の禁止期間に亘って表示が禁止され、
前記特定の画像情報を表示した状態で前記停止タイミングとなったことに基づいて前記特定の画像情報を非表示とした場合に、前記禁止期間の経過後に前記所定期間が経過していなくても前記特定の画像情報を再表示せず、
前記特定の画像情報を表示した状態で再び前記操作手段が操作された場合に当該特定の画像情報の表示態様に変化を与え得る、
ことを特徴とする遊技機。
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
始動条件の成立に基づいて抽選を行い、該抽選の結果が当りである場合に、通常遊技状態よりも遊技者に有利な特定遊技状態に制御可能な遊技機であって、
前記抽選の結果に基づいて変動演出を実行する変動演出実行手段と、
操作手段が操作されたことに基づいて音出力手段から出力される前記変動演出の演出音量を変更し得る音量変更手段と、を備え、
前記変動演出実行手段は、
リーチを伴わない変動演出としての第１特別変動演出と、
リーチを伴う変動演出としての第２特別変動演出と、を含み、前記第１特別変動演出と前記第２特別変動演出とを含む複数の変動演出のいずれかを実行可能であり、
前記抽選の結果が当りである場合には前記抽選の結果がはずれである場合に比べて前記変動演出としてリーチを伴う変動演出を実行する割合が高くされ、
前記第１特別変動演出中に前記操作手段が操作された場合には、該操作に基づいて前記音量変更手段が変更した演出音量での当該変動演出の演出音が、当該操作タイミングで出力され、前記第２特別変動演出中の特定の期間内に前記操作手段が操作された場合には、該操作に基づいて前記音量変更手段が変更した演出音量での当該変動演出の演出音が、当該操作タイミングでは出力されずに前記特定の期間の経過後に出力され、
前記第２特別変動演出中の前記特定の期間は、前記第２特別変動演出において図柄の変動が開始されてからリーチが発生するまでの図柄変動中の期間において設けることが可能とされる
ことを特徴とする遊技機。
【手続補正２】
【補正対象書類名】明細書
【補正対象項目名】０００２
【補正方法】変更
【補正の内容】
【０００２】
従来、始動入賞が発生した場合に画像を表示可能な表示器に複数の図柄を変動表示させて、図柄の停止結果が所定の態様となった場合に所定の遊技価値を付与する遊技機が知られている。このような遊技機では、図柄の変動表示に関連して様々な演出表示を行うようになっている（例えば、特許文献１参照）。
【手続補正３】
【補正対象書類名】明細書
【補正対象項目名】０００３
【補正方法】変更
【補正の内容】
【０００３】
【特許文献１】特開２０１６−２０２５３８号公報
【手続補正４】
【補正対象書類名】明細書
【補正対象項目名】０００４
【補正方法】変更
【補正の内容】
【０００４】
しかしながら、上記従来の遊技機では単調な遊技が連続して行われることで遊技興趣を低下させるおそれがあった。
【手続補正５】
【補正対象書類名】明細書
【補正対象項目名】０００６
【補正方法】変更
【補正の内容】
【０００６】
上記した目的を達成するために、請求項１に係る発明においては、始動条件の成立に基づいて抽選を行い、該抽選の結果が当りである場合に、通常遊技状態よりも遊技者に有利な特定遊技状態に制御可能な遊技機であって、
前記抽選の結果に基づいて変動演出を実行する変動演出実行手段と、
操作手段が操作されたことに基づいて音出力手段から出力される前記変動演出の演出音量を変更し得る音量変更手段と、を備え、
前記変動演出実行手段は、
リーチを伴わない変動演出としての第１特別変動演出と、
リーチを伴う変動演出としての第２特別変動演出と、を含み、前記第１特別変動演出と前記第２特別変動演出とを含む複数の変動演出のいずれかを実行可能であり、
前記抽選の結果が当りである場合には前記抽選の結果がはずれである場合に比べて前記変動演出としてリーチを伴う変動演出を実行する割合が高くされ、
前記第１特別変動演出中に前記操作手段が操作された場合には、該操作に基づいて前記音量変更手段が変更した演出音量での当該変動演出の演出音が、当該操作タイミングで出力され、前記第２特別変動演出中の特定の期間内に前記操作手段が操作された場合には、該操作に基づいて前記音量変更手段が変更した演出音量での当該変動演出の演出音が、当該操作タイミングでは出力されずに前記特定の期間の経過後に出力され、
前記第２特別変動演出中の前記特定の期間は、前記第２特別変動演出において図柄の変動が開始されてからリーチが発生するまでの図柄変動中の期間において設けることが可能とされる
ことを特徴とする遊技機。
【手続補正書】
【提出日】令和1年6月3日(2019.6.3)
【手続補正１】
【補正対象書類名】特許請求の範囲
【補正対象項目名】請求項１
【補正方法】変更
【補正の内容】
【請求項１】
第１圧電素子と、
力を付与された第１圧電素子に発生する電圧を印加すべく配線によって電気接続された第２圧電素子を有する第２圧電素子体と、
前記第１圧電素子に力を付与する操作前に、前記電圧を印加することにより第２圧電素子が変形する変形方向に対して移動可能に、前記第２圧電素子体に直接又は間接に接触しているか、又は直接又は間接に接触させることができる被駆動体と
を具備することを特徴とする圧電素子を使用した被駆動体弾き装置。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
総窒素濃度１ｗ／ｗ％あたり、Ｇｌｙ−Ｔｙｒを７０μｇ／ｍｌ以上、Ｓｅｒ−Ｔｙｒを１００μｇ／ｍｌ以上含有する、発酵調味料。
【請求項２】
原料大豆中のβ−コングリシニンとグリシニンの合計量に対するβ−コングリシニンの含有率が５０ｗ／ｗ％以上であり、かつ、Ｇｌｙ−Ｔｙｒ及びＳｅｒ−Ｔｙｒを含有することを特徴とする、発酵調味料。
【請求項３】
前記原料大豆が、掛け原料である、請求項２に記載の発酵調味料。
【請求項４】
前記原料大豆が、１１Ｓグロブリン欠失又は低下大豆を含む、請求項２又は３に記載の発酵調味料。
【請求項５】
前記原料大豆が、単一の又は複数の品種の大豆を含む、請求項２〜４のいずれか１項に記載の発酵調味料。
【請求項６】
血圧降下用発酵調味料である、請求項１〜５のいずれか１項に記載の発酵調味料。
【請求項７】
原料大豆と麹菌培養物と食塩水を混和して諸味を調製する工程と、該諸味を２５〜６０
℃で発酵させる工程を含む、Ｇｌｙ−Ｔｙｒ及びＳｅｒ−Ｔｙｒを含有する発酵調味料の製造方法であって、該原料大豆中のβ−コングリシニンとグリシニンの合計量に対するβ−コングリシニンの含有率が５０ｗ／ｗ％以上である、発酵調味料の製造方法。
【手続補正書】
【提出日】令和1年7月19日(2019.7.19)
【手続補正１】
【補正対象書類名】特許請求の範囲
【補正対象項目名】請求項８
【補正方法】変更
【補正の内容】
【請求項８】
前記少なくとも２以上のモータ回路は、第１のモータ回路と、これ以外の他のモータ回路とに分かれており、
前記切替回路は、前記第１の制御回路が前記第１のモータ回路を制御し且つ前記第２の制御回路が前記他のモータ回路を制御する第３の配線を有し、前記基本稼働状態は、前記切替回路が第３の配線を選択している状態である、請求項１から７のいずれかに記載のモータ制御装置。
【手続補正２】
【補正対象書類名】明細書
【補正対象項目名】００１７
【補正方法】変更
【補正の内容】
【００１７】
切替回路４０は、何れかの制御回路からの指示に基づき、次の４つのモードの何れかへ
の切替を実現する。
（１）切替モード１：このモードでは、第１制御配線１２は、第１モータ配線５０と第２
モータ配線５１とに接続される。他方第２制御配線２２は、何れのモータにも接続され
ない。この切替モードの実行により、第１モータ回路１００と第２モータ回路１１０は、
第１制御回路１０により制御される。
（２）切替モード２：このモードでは、第２制御配線２２は、第１モータ配線５０と第２
モータ配線５１とに接続される。他方第１制御配線１２は、何れのモータにも接続され
ない。この切替モードの実行により、第１モータ回路１００と第２モータ回路１１０は、
第２制御回路２０により制御される。
（３）切替モード３：このモードでは、第１制御配線１２は第１モータ配線５０に接続さ
れ、第２制御配線２２は第２モータ配線５１に接続される。この切替モードの実行により
、第１モータ回路１００は第１制御回路１０により制御され、第２モータ回路１１０は第
２制御回路２０により制御される。
（４）切替モード４：このモードでは、第１制御配線１２、第２制御配線２２、第１モー
タ配線５０、第２モータ配線５１は何れにも接続されず、且つ第１モータ回路１００及び
第２モータ回路１１０は、駆動力を発揮しない状態に置かれ、モータの回転軸は外力によ
り自由に回転できる状態、即ちセーフティモードに置かれる。
【手続補正３】
【補正対象書類名】図面
【補正対象項目名】図１
【補正方法】変更
【補正の内容】
【図１】
2018014798.tif 000001
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
ダイナミックレンジに関する映像信号の情報を用い、複数のSOP構造を使用してビットストリームを生成する映像符号化方法であって、
時間方向で、符号化対象の映像信号がSDR（Standard Dynamic Range）からHDR（High Dynamic Rang）に切り替わる場合、または、HDRからSDRに切り替わる場合に、前記ダイナミックレンジを切り替えるための前記ダイナミックレンジに関する映像信号の情報を伝送可能にするために、切り替わり後の先頭のSOPのSOP構造をTemporal IDが０のピクチャだけで構成されるSOP構造に設定し、
前記SDRから前記HDRへの切り替え、または、前記HDRから前記SDRへの切り替えは、前記映像信号のtransfer characteristicsの値に基づいてなされる
ことを特徴とする映像符号化方法。
【請求項２】
ダイナミックレンジに関する映像信号の情報を用い、複数のSOP構造を使用してビットストリームを生成する映像符号化装置であって、
時間方向で、符号化対象の映像信号がSDR（Standard Dynamic Range）からHDR（High Dynamic Rang）に切り替わる場合、または、HDRからSDRに切り替わる場合に、前記ダイナミックレンジを切り替えるための前記ダイナミックレンジに関する映像信号の情報を伝送可能にするために、切り替わり後の先頭のSOPのSOP構造をTemporal IDが０のピクチャだけで構成されるSOP構造に設定する符号化構造制御手段を備え、
前記SDRから前記HDRへの切り替え、または、前記HDRから前記SDRへの切り替えは、前記映像信号のtransfer characteristicsの値に基づいてなされる
ことを特徴とする映像符号化装置。
【請求項３】
ダイナミックレンジに関する映像信号の情報を用い、複数のSOP構造を使用してビットストリームを生成する映像符号化装置におけるコンピュータに、
時間方向で、符号化対象の映像信号がSDR（Standard Dynamic Range）からHDR（High Dynamic Rang）に切り替わる場合、または、HDRからSDRに切り替わる場合に、前記ダイナミックレンジを切り替えるための前記ダイナミックレンジに関する映像信号の情報を伝送可能にするために、切り替わり後の先頭のSOPのSOP構造をTemporal IDが０のピクチャだけで構成されるSOP構造に設定する処理を実行させ、
前記SDRから前記HDRへの切り替え、または、前記HDRから前記SDRへの切り替えを、前記映像信号のtransfer characteristicsの値に基づいて実行させる
ための映像符号化プログラム。
【請求項４】
請求項２に記載の映像符号化装置と、
音声信号を符号化する音声符号化部と、
前記映像符号化装置からのビットストリームと前記音声符号化部からのビットストリームとを多重化して出力する多重化部と
を備える映像システム。
【請求項５】
請求項２に記載の映像符号化装置から伝送されるビットストリームを復号する映像復号装置。
【手続補正２】
【補正対象書類名】明細書
【補正対象項目名】００１５
【補正方法】変更
【補正の内容】
【００１５】
本発明による映像符号化方法は、ダイナミックレンジに関する映像信号の情報を用い、複数のSOP構造を使用してビットストリームを生成する映像符号化方法であって、時間方向で、符号化対象の映像信号がSDRからHDRに切り替わる場合、または、HDRからSDRに切り替わる場合に、ダイナミックレンジを切り替えるためのダイナミックレンジに関する映像信号の情報を伝送可能にするために、切り替わり後の先頭のSOPのSOP構造をTemporal IDが０のピクチャだけで構成されるSOP構造に設定し、SDRからHDRへの切り替え、または、HDRからSDRへの切り替えは、映像信号のtransfer characteristicsの値に基づいてなされることを特徴とする。
【手続補正３】
【補正対象書類名】明細書
【補正対象項目名】００１６
【補正方法】変更
【補正の内容】
【００１６】
本発明による映像符号化装置は、ダイナミックレンジに関する映像信号の情報を用い、複数のSOP構造を使用してビットストリームを生成する映像符号化装置であって、時間方向で、符号化対象の映像信号がSDRからHDRに切り替わる場合、または、HDRからSDRに切り替わる場合に、ダイナミックレンジを切り替えるためのダイナミックレンジに関する映像信号の情報を伝送可能にするために、切り替わり後の先頭のSOPのSOP構造をTemporal IDが０のピクチャだけで構成されるSOP構造に設定する符号化構造制御手段を備え、SDRからHDRへの切り替え、または、HDRからSDRへの切り替えは、映像信号のtransfer characteristicsの値に基づいてなされることを特徴とする。
【手続補正４】
【補正対象書類名】明細書
【補正対象項目名】００１７
【補正方法】変更
【補正の内容】
【００１７】
本発明による映像符号化プログラムは、ダイナミックレンジに関する映像信号の情報を用い、複数のSOP構造を使用してビットストリームを生成する映像符号化装置におけるコンピュータに、時間方向で、符号化対象の映像信号がSDRからHDRに切り替わる場合、または、HDRからSDRに切り替わる場合に、ダイナミックレンジを切り替えるためのダイナミックレンジに関する映像信号の情報を伝送可能にするために、切り替わり後の先頭のSOPのSOP構造をTemporal IDが０のピクチャだけで構成されるSOP構造に設定する処理を実行させ、SDRからHDRへの切り替え、または、HDRからSDRへの切り替えを、映像信号のtransfer characteristicsの値に基づいて実行させることを特徴とする。
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
画像表示装置を介してユーザに仮想空間を提供する方法であって、
前記仮想空間に配置された仮想オブジェクトを特定するとともに、前記ユーザの身体の一部の動きに連動して動作する操作対象オブジェクトを前記仮想空間に配置するステップと、
前記ユーザの前記仮想空間における基準視線を特定するステップと、
前記仮想空間に配置された仮想カメラの位置または向きに基づいて画像を生成するステップと、
前記仮想オブジェクトに、前記仮想空間における前記仮想カメラの位置または前記基準視線の方向に基づく延在方向に延在する部分を少なくとも含む、前記操作対象オブジェクトとの接触を判定するための領域を設定するステップと、
前記領域と前記操作対象オブジェクトとの位置関係に基づいて、前記領域が設定される前記仮想オブジェクトと前記操作対象オブジェクトとの接触を判定するステップと、を含む方法。
【請求項２】
前記部分は、前記領域が設定される前記仮想オブジェクトから、前記基準視線の方向とは逆向きの前記延在方向に延在する、請求項１に記載の方法。
【請求項３】
前記延在方向を規定する基準ベクトルを特定するステップをさらに含み、
前記設定するステップにおいて、前記仮想カメラの位置または前記基準視線の方向に基づいて前記基準ベクトルを回転させ、回転後の基準ベクトルを基準として前記領域を設定する、請求項１または２に記載の方法。
【請求項４】
前記設定するステップにおいて、前記基準視線の方向と平行かつ逆向きとなるように前記基準ベクトルを回転させる、請求項３に記載の方法。
【請求項５】
前記設定するステップにおいて、前記仮想カメラの位置から、前記領域が設定される前記仮想オブジェクトの位置、または該仮想オブジェクトの位置に基づいて特定した位置に向かう方向と平行かつ逆向きとなるように前記基準ベクトルを回転させる、請求項３に記載の方法。
【請求項６】
前記仮想カメラの位置または前記基準視線の方向が変化した場合に、変化後の前記仮想カメラの位置または変化後の前記基準視線の方向に基づく前記延在方向に、前記部分を延在させるステップをさらに含む、請求項１〜５のいずれか１項に記載の方法。
【請求項７】
画像表示装置を介してユーザに仮想体験を提供する方法であって、
仮想オブジェクトを特定するステップと、
前記ユーザの身体の一部の位置を特定するステップと、
前記ユーザの基準視線を特定するステップと、
前記仮想オブジェクトに、前記基準視線の方向に基づく延在方向に延在する部分を少なくとも含む領域を設定するステップと、
前記領域と前記身体の一部の位置との位置関係に基づいて、前記領域が設定される前記仮想オブジェクトと前記身体の一部との接触を判定するステップと、を含む方法。
【請求項８】
前記部分は、前記領域が設定される前記仮想オブジェクトから、前記基準視線の方向とは逆向きの前記延在方向に延在する、請求項７に記載の方法。
【請求項９】
前記延在方向を規定する基準ベクトルを特定するステップをさらに含み、
前記設定するステップにおいて、前記基準視線の方向に基づいて前記基準ベクトルを回転させ、回転後の基準ベクトルを基準として前記領域を設定する、請求項７または８に記載の方法。
【請求項１０】
前記設定するステップにおいて、前記基準視線の方向と平行かつ逆向きとなるように前記基準ベクトルを回転させる、請求項９に記載の方法。
【請求項１１】
前記基準視線の方向が変化した場合に、変化後の前記基準視線の方向に基づく前記延在方向に、前記部分を延在させるステップをさらに含む、請求項７〜１０のいずれか１項に記載の方法。
【請求項１２】
請求項１〜１１のいずれか１項に記載の方法の各ステップを、コンピュータに実行させるプログラム。
【請求項１３】
請求項１２に記載のプログラムを記録したコンピュータ読み取り可能な記録媒体。
【手続補正書】
【提出日】平成31年3月12日(2019.3.12)
【手続補正１】
【補正対象書類名】明細書
【補正対象項目名】００２４
【補正方法】変更
【補正の内容】
【００２４】
本発明の一実施の形態であるコネクタ１について図１乃至図３を参照して説明する。図示されたコネクタ１は、基板２０(図１２等)に実装されるべき実装部２、及び、線状導体であるケーブルを受けるケーブル嵌合部３を備える。図示されたケーブル嵌合部３は実装部２の下側、第１方向Ｄ１側に設けられている。後述するように、所定の形状に切り出した一枚の金属板を折り曲げることにより、実装部２、ケーブル嵌合部３は形成される。
【手続補正２】
【補正対象書類名】明細書
【補正対象項目名】００７９
【補正方法】変更
【補正の内容】
【００７９】
今、開口１０に被覆導線１６を挿設した状態にあるものとする。即ち、ケーブルストッパー１５が規定する所定の位置に収容部３Ａが被覆導線１６を収容しているものとする。このときの開口１０の間口を考える。開口１０の間口を占める被覆導線１６の断面のうち、最も第２方向Ｄ２側にある点を図２１Ｂに点Ｐとして示す。点Ｐは開口１０における第２方向Ｄ２の端部になる。このような点Ｐから第１平面５に向かって垂線を下す。この垂線の長さＬは基板２０の厚さＵよりも長くなる。基板２０の厚さＵとは、基板２０の実装面２１（第２主面）から背面２２（第１主面）の間の長さである。
【手続補正３】
【補正対象書類名】明細書
【補正対象項目名】００８５
【補正方法】変更
【補正の内容】
【００８５】
また、図１０に示すように、上述の実施形態では、被覆導線１６を介して対向するように２つの片持ち梁を配置し、その先端をケーブル接点部１１としたが、本発明はこれに限定されるものではない。
【手続補正４】
【補正対象書類名】明細書
【補正対象項目名】００８６
【補正方法】変更
【補正の内容】
【００８６】
例えば、これら２つの片持ち梁のうち、一方を取り去ることとしてもよい。この場合、残った片持ち梁の自由端が裸導線１７Ａを押したとき、裸導線１７Ａが自由端を押し返して両者の接触を維持するため、裸導線１７Ａがある程度の硬さを持っていることが好ましい。この場合であっても、ケーブル接点部１１が裸導線１７Ａよりも硬ければ、上述のコネクタ１と同様に、被覆導線１６の脱落を防止する効果を得ることができる。
【手続補正５】
【補正対象書類名】明細書
【補正対象項目名】００８７
【補正方法】変更
【補正の内容】
【００８７】
或いは、残した片持ち梁の自由端と対向する位置に、挿入方向Ｉと直交する方向に板状部材を配置してもよい。この板状部材の一端面は、挿入された裸導線１７Ａとわずかに隙間を残すように配置される。片持ち梁のケーブル接点部１１に相当する位置に、ケーブルストッパー１５の板状部材に相当する板状部材をもう一枚配置したような構成となる。この場合、片持ち梁の自由端は、裸導線１７Ａを板状部材の一端面に押し付けるように作用する。
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
複数の複合粒子を含み、
前記複合粒子は、芯粒子と、前記芯粒子の表面を被覆する複数の被覆粒子とが複合化した粒子であり、
前記芯粒子は、酸素還元反応に対する触媒活性を有する材料を含み、
前記被覆粒子は、導電性を有する材料を含み、かつ、前記芯粒子を被覆し、
前記芯粒子のメディアン径は、前記被覆粒子の一次粒子の平均粒子径の１００倍以上１０００倍以下であることを特徴とする空気極材料。
【請求項２】
前記芯粒子のメディアン径は、３μｍ以上１００μｍ以下であり、
前記被覆粒子の一次粒子の平均粒子径は、１０ｎｍ以上１００ｎｍ以下である請求項１に記載の空気極材料。
【請求項３】
前記芯粒子の材料は、金属酸化物または銀であり、
前記被覆粒子の材料は、炭素材料である請求項１又は２に記載の空気極材料。
【請求項４】
複数の被覆粒子は、前記芯粒子の表面に機械的に結合した複数の第１被覆粒子と、他の被覆粒子に機械的に結合した複数の第２被覆粒子とを含む請求項１〜３のいずれか１つに記載の空気極材料。
【請求項５】
前記被覆粒子は、複数の複合粒子に対し２０ｋＨｚで３分間超音波処理を施した際に前記被覆粒子の８０％以上が前記複合粒子から脱離しない強度で前記芯粒子に付着する請求項１〜４のいずれか１つに記載の空気極材料。
【請求項６】
請求項１〜５のいずれか１つに記載の空気極材料を含む触媒層を備え、
前記触媒層の体積抵抗率は、０．６５Ω・ｃｍ以下である空気極。
【請求項７】
請求項６に記載の空気極と、金属極と、電解質とを備えた金属空気電池。
【請求項８】
請求項６に記載の空気極と、燃料極と、電解質とを備えた燃料電池。
【請求項９】
空気極の製造方法であって、
導電性を有する被覆粒子と、
酸素還元反応に対する触媒活性を有し、前記被覆粒子の平均粒子径の１００倍以上１０００倍以下のメディアン径を有する芯粒子と、を混合する混合工程と、
前記混合工程で得られた混合粉末をメカノケミカル法によって複合化する複合化工程とを含む空気極の製造方法。
【手続補正書】
【提出日】平成30年12月26日(2018.12.26)
【手続補正１】
【補正対象書類名】明細書
【補正対象項目名】００３０
【補正方法】変更
【補正の内容】
【００３０】
図５及び図９から理解されるように、保持部材３２０は、端子３１０を保持している。詳しくは、端子３１０は、信号線７１０に夫々取り付けられた状態で、保持部材３２０の後方から保持部３２２に夫々挿入されている。保持部３２２に挿入された端子３１０は、Ｙ方向に並べられて保持されている。図９から理解されるように、コネクタ２０と相手側コネクタ８０とが互いに嵌合した嵌合状態において、端子３１０の夫々は、相手側コネクタ８０の対応する相手側端子８１０と接続する。この接続により、ケーブル７０が取り付けられた機器（図示せず）と、相手側コネクタ８０が取り付けられた相手側機器（図示せず）との間のデータ伝送が可能になる。
【手続補正２】
【補正対象書類名】図面
【補正対象項目名】図９
【補正方法】変更
【補正の内容】
【図９】
2018014260.tif 000001
【手続補正書】
【提出日】令和1年5月17日(2019.5.17)
【手続補正１】
【補正対象書類名】明細書
【補正対象項目名】発明の名称
【補正方法】変更
【補正の内容】
【発明の名称】トランジスタ及び表示装置
【手続補正２】
【補正対象書類名】特許請求の範囲
【補正対象項目名】全文
【補正方法】変更
【補正の内容】
【特許請求の範囲】
【請求項１】
金属酸化物と、前記金属酸化物に接する一対の電極と、前記金属酸化物と接する絶縁体と、前記絶縁体を介して前記金属酸化物と重畳するゲート電極と、を有し、
前記金属酸化物は、
第１の領域と第２の領域を有し、
前記第１の領域と前記第２の領域は混合しており、
前記第２の領域の伝導帯下端のエネルギー準位は、前記第１の領域の伝導帯下端のエネルギー準位より０．２ｅＶ以上低く、
前記第１の領域のエネルギーギャップは、３．３ｅＶ以上４．０ｅＶ以下であり、
前記第２の領域のエネルギーギャップは、２．２ｅＶ以上２．９ｅＶ以下である、
トランジスタ。
【請求項２】
金属酸化物と、前記金属酸化物に接する一対の電極と、前記金属酸化物と接する絶縁体と、前記絶縁体を介して前記金属酸化物と重畳するゲート電極と、を有し、
前記金属酸化物は、
第１の領域と第２の領域を有し、
前記第１の領域と前記第２の領域は混合しており、
前記第２の領域の伝導帯下端のエネルギー準位は、前記第１の領域の伝導帯下端のエネルギー準位より低く、
前記第１の領域は、Ｍ（Ｍは、Ａｌ、Ｇａ、Ｓｉ、Ｍｇ、Ｚｒ、Ｂｅ、及びＢから選ばれる少なくとも二種以上）酸化物、Ｍ窒化物またはＩｎ−Ｍ−Ｚｎ酸化物を有し、
前記第２の領域は、Ｉｎ酸化物、またはＩｎ−Ｚｎ酸化物を有する、
トランジスタ。
【請求項３】
金属酸化物と、前記金属酸化物に接する一対の電極と、前記金属酸化物と接する絶縁体と、前記絶縁体を介して前記金属酸化物と重畳するゲート電極と、を有し、
前記金属酸化物は、
第１のエネルギーギャップを有する第１の領域と第２のエネルギーギャップを有する第２の領域と、を有し、
前記第１の領域と前記第２の領域は混合しており、
前記第１の領域の伝導帯下端のエネルギー準位は、前記第２の領域の伝導帯下端のエネルギー準位よりも高く、
前記第１の領域は第１の金属元素の第１の酸化物を含み、
前記第２の領域は第２の金属元素の第２の酸化物を含み、
前記第１の酸化物は、前記第１の金属元素とは異なる第３の元素を含み、
前記第２の酸化物は、前記第２の金属元素とは異なる第３の元素を含み、
前記第１の領域における前記第３の元素の濃度は、前記第２の領域における前記第３の元素の濃度よりも高い、
トランジスタ。
【請求項４】
請求項３において、
前記第１の金属元素はＧａであり、前記第２の金属元素はＩｎであり、前記第３の元素はＡｌ、Ｓｉ、Ｍｇ、Ｚｒ、Ｂｅ、及びＢから選ばれる少なくとも二種以上含む、トランジスタ。
【請求項５】
請求項３または請求項４において、
前記第１の領域は更にＩｎとＺｎを含み、前記第２の領域は更にＺｎを含む、トランジスタ。
【請求項６】
請求項１乃至５のいずれか一項において、
前記金属酸化物は、１ｎｍ以上１０ｎｍ以下の領域において原子配列に周期性を有する、トランジスタ。
【請求項７】
請求項１乃至６のいずれか一項において、
電子線回折を用いて前記金属酸化物は分析した場合、電子線回折パターン像において、リング状に輝度の高い領域内に、複数のスポットが観察される、トランジスタ。
【請求項８】
請求項１乃至７のいずれか一項に記載のトランジスタを有する表示装置であって、
表示部を有し、
前記表示部の画素トランジスタとして前記トランジスタを有する、表示装置。
【請求項９】
請求項１乃至７のいずれか一項に記載のトランジスタを有する表示装置であって、
表示部を有し、
前記表示部の駆動トランジスタとして前記トランジスタを有する、表示装置。
【請求項１０】
請求項１乃至請求項７のいずれか一項に記載のトランジスタを有する表示装置であって、
表示部と、ゲートドライバと、を有し、
前記ゲートドライバが前記トランジスタを有する、表示装置。